(57)【要約】【課題】画像データの形状にとらわれることなく画素分布を表示するが可能な画像表示装置を実現する。【解決手段】画像データが蓄積された記憶手段と、この記憶手段に蓄積された画像データの少なくとも一つを制御手段を介して表示する画像表示手段と、からなり、  前記制御手段は、前記画像表示手段に表示された画像を直線状に横切る画素解析線と、この画像解析線上の画素情報を前記画像上に表示する機能を有し、  前記画像解析線が水平方向（主操作方向）に対して予め定めた所定の角度傾いて描画されたときは、前記画像上に基準補助線を表示すると共にこの基準補助線に沿って前記画素情報を表示するようにした。【選択図】図１
2007313003.tif 000002
【特許請求の範囲】
【請求項１】
画像データが蓄積された記憶手段と、この記憶手段に蓄積された画像データの少なくとも一つを制御手段を介して表示する画像表示手段と、からなり、
前記制御手段は、前記画像表示手段に表示された画像を直線状に横切る画素解析線と、この画像解析線上の画素情報を前記画像上に表示する機能を有し、
前記画像解析線が水平方向（主操作方向）に対して予め定めた所定の角度傾いて描画されたときは、前記画像上に基準補助線を表示すると共にこの基準補助線に沿って前記画素情報を表示するようにしたことを特徴とする画像表示装置。
【請求項２】
前記基準補助線は前記画像表示領域の水平方向に対して垂直方向に描画することを特徴とする請求項１に記載の画像表示装置。
【請求項３】
前記基準補助線は所定の画素レベルを有し、この画素レベルより高い側を正、低い側を負として画素分布を表示することを特徴とする請求項１または２に記載の画像表示装置。
【請求項４】
前記所定の角度を、複数の操作端末、あるいは、同一のローカルネットワークに接続された操作端末にあらかじめ設定したことを特徴とする請求項１乃至３に記載の画像表示装置。
【請求項５】
前記画像表示領域の画素分布を表示する位置に対応して描画する前記画素解析線及び基準補助線の線分の太さ、色、線種をあらかじめ設定したことを特徴とする請求項１乃至４に記載の画像表示装置。
【請求項６】
前記画素解析線及び基準補助線の線分の太さ、色、線種を複数の操作端末あるいは、同一のローカルネットワークに接続された複数の操作端末にあらかじめ設定したことを特徴とする請求項１乃至５に記載の画像表示装置。
【発明の詳細な説明】
【技術分野】
【０００１】
本発明は、撮影された画像データを表示画面に表示し、画面の画素の濃淡から特徴点を視認できるようにした画像表示装置に関し、詳しくはより正確な視認情報を得ることが可能な画像表示装置に関するものである。
【背景技術】
【０００２】
図３は従来及び本発明で使用する画像表示装置の概略を示す構成図である。
図において、１は記憶装置であり、例えばＣＴ装置、ＭＲＩ装置、核医学装置、超音波装置、Ｘ線装置などによって撮影された画像が格納されている。
【０００３】
２はＣＲＴや液晶などの表示装置で、この表示装置２に制御手段（ＰＣ等）３を用いて記憶装置１に格納された画像が表示される。
図４は従来の画像表示装置で表示された画像の一例を示すもので、表示装置２に表示された画像データ上で画素分布が不明瞭な箇所に画素解析線４を描画し、その画素解析線上の画素分布（解析結果）を画像データ上に折れ線グラフ５として表示している。
【０００４】
なお、図４に示す画素解析線４はマウスにより水平のまま上下に移動可能である。また、描画開始点または描画終了点をマウスで上下に動かすことにより画像解析線を画像の斜め方向に描画することが可能である。
【０００５】
なお、このような画像表示装置の先行技術としては下記のような特許文献がある。
【特許文献１】特開平０９−１７３３５２号公報
【特許文献２】特開平０９−２０４５３２号公報
【特許文献３】特開平１０−１０４２７８号公報
【発明の開示】
【発明が解決しようとする課題】
【０００６】
ところで、上記従来の画像表示装置においては下記のような問題があった。
画像データ内の注目する画素分布は一様でなく画素値の分布の境界が不明瞭な場合が多い。そのため、さまざまな角度から画素値の分布を視覚的に表示する必要がある。
【０００７】
従来の技術では画像に対して４５度以上の画素解析線を描画した場合は、画素分布を表示できなかったため解析方向が限定される。
【０００８】
従って本発明は、画素解析線４を解析箇所に合わせて横、縦、斜めに描画し上下左右に動かし、４５度以上の描画解析線を描画した場合も画素値の分布を折れ線グラフで表示することにより、画像データの形状にとらわれることなく画素分布を表示するが可能な画像表示装置を実現することを目的とする。
【課題を解決するための手段】
【０００９】
本発明は上記問題点を解決するためになされたもので、請求項１記載の画像表示装置の発明においては、
画像データが蓄積された記憶手段と、この記憶手段に蓄積された画像データの少なくとも一つを制御手段を介して表示する画像表示手段と、からなり、
前記制御手段は、前記画像表示手段に表示された画像を直線状に横切る画素解析線と、この画像解析線上の画素情報を前記画像上に表示する機能を有し、
前記画像解析線が水平方向（主操作方向）に対して予め定めた所定の角度傾いて描画されたときは、前記画像上に基準補助線を表示すると共にこの基準補助線に沿って前記画素情報を表示するようにしたことを特徴とする。
【００１０】
請求項２においては、請求項１に記載の画像表示装置において、
前記基準補助線は前記画像表示領域の水平方向に対して垂直方向に描画することを特徴とする。
【００１１】
請求項３においては、請求項１または２に記載の画像表示装置の発明において、
前記画素解析線及び基準補助線は所定の画素レベルを有し、この画素レベルより高い側を正、低い側を負として画素分布を表示することを特徴とする。
【００１２】
請求項４においては、請求項１乃至３に記載の画像表示装置の発明において、
前記所定の角度を、複数の操作端末、あるいは、同一のローカルネットワークに接続された操作端末にあらかじめ設定したことを特徴とする。
【００１３】
請求項５においては、請求項１乃至４に記載の画像表示装置の発明において、
前記画像表示領域の画素分布を表示する位置に対応して描画する前記画素解析線及び基準補助線の線分の太さ、色、線種をあらかじめ設定したことを特徴とする。
【００１４】
請求項６においては、請求項１乃至５に記載の画像表示装置の発明において、
前記画素解析線及び基準補助線の線分の太さ、色、線種を操作端末あるいは、同一のローカルネットワークに接続された操作端末にあらかじめ設定したことを特徴とする。
【発明の効果】
【００１５】
以上説明したことから明らかなように本発明によれば、次のような効果がある。請求項１，２に記載の発明によれば、
画像解析線が水平方向（主操作方向）に対して予め定めた所定の角度傾いて描画されたときは、前記画像上に基準補助線を表示すると共にこの基準補助線に沿って前記画素情報を表示するようにし、その基準補助線は前記画像表示領域の水平方向に対して垂直方向に描画するようにしたので、ユーザ（オペレータ）による視認性を改善することができる。
【００１６】
請求項３に記載の発明によれば、画素解析線及び基準補助線は所定の画素レベルを有し、この画素レベルより高い側を正、低い側を負として画素分布を表示するので、あるレベルに対する画素の高低の判断を容易に行うことができる。
【００１７】
請求項４に記載の発明によれば、所定の角度を、複数の操作端末、あるいは、同一のローカルネットワークに接続された操作端末にあらかじめ設定したので、どの画像表示装置においても同様の基準で表示することができる。
【００１８】
請求項５に記載の発明によれば、画像表示領域の画素分布を表示する位置に対応して描画する前記画素解析線及び基準補助線の線分の太さ、色、線種をあらかじめ設定したので、常に同一の線や色を表示することができる。
【００１９】
請求項６に記載の発明によれば、画素解析線及び基準補助線の線分の太さ、色、線種を操作端末あるいは、同一のローカルネットワークに接続された操作端末にあらかじめ設定したので、どの画像表示装置においても同様の画素解析線及び基準補助線を表示することができる。
【発明を実施するための最良の形態】
【００２０】
図１（ａ，ｂ）は本発明の画像表示装置により表示した画像の実施形態の一例を示す構成図である。なお、本発明の画像表示装置の構成は図１に示す従来技術の構成と同様である。また、画像領域上に水平及び斜め方向に画素解析線を表示するソフトウエア技術は公知である。
【００２１】
この発明では斜め方向に描画された画素解析線が所定の角度を超えたか否かにより、水平若しくは垂直の基準補助線を設けるとともに画素解析線上の画素分布を、水平若しくは垂直の基準補助線上に描画するようにしたものである。なお、本実施例では予め定める所定の角度（Ｘ）を例えば４５度とする。
【００２２】
図１（ａ）において、４は画像領域上に描画された画像解析線である。この例では画像解析線が画面の水平方向に対して２０度傾いているものとする。その場合、この画像解析線の角度は予め定めた所定の角度４５度を越えていない（θ＝２０度≦Ｘ＝４５度）ので、基準補助線６は画像解析線の描画開始点４ａから水平方向に描画される。そして画像解析線４の描画開始点４ａから終了点である４ｂまでの画素の濃淡が折れ線グラフ５として画面上に表示される。
【００２３】
図１（ｂ）は画像解析線４が描画開始点４ａから終了点である４ｂまで描画され、この画像解析線が水平方向に対して例えば６０度傾いて描画されたものとする。
この場合、画像解析線４の角度は予め定めた所定の角度４５度を超えている（θ＝６０度≧Ｘ＝４５度）ので基準補助線６が画面の水平方向に対して垂直方向に描画され、この基準補助線６に沿って画像解析線４上の画素の濃淡が折れ線グラフとして表示される。
【００２４】
なお、図１（ｂ）の例では、折れ線グラフ５は基準補助線６を０レベルとして上部（正）側にのみ描画されている。
その場合、画素レベルがある一定レベルより上なのか下なのかを見分けるのには不便である。
【００２５】
従って、基準補助線６に所定の画素レベルを持たせ、このレベルに対して高い側を正、低い側を負として折れ線グラフを描画すればある一定レベルに対する正負のレベルをより分かりやすく表現することができる。
また、画像表示領域の画素分布を表示する位置に対応して描画する画素解析線及び基準補助線の線分の太さ、色、線種もあらかじめ設定しておくことができる。
【００２６】
図２はこのような画像表示装置を医療分野に応用した例を示すものである。医用画像に表れる疾患部分は、明らかに際立っている場合もあるが周りの臓器との境界が不明瞭な場合も存在するため、疾患部分の特定が経験によるところが大きい。
【００２７】
不明瞭な疾患部分に画素解析線を描画し上下左右に動かすことにより疾患部分の微妙な画素値の変化を手早く折れ線グラフとして目で見ることを可能とすることにより、疾患部分の特定が経験の浅い者でも簡易で正確に行うことができる。
【００２８】
なお、図３においては制御手段（ＰＣ等）３に対して、一台の表示装置を接続した例を示したが、制御手段３に対して複数の表示装置を接続し、同一の所定の角度を設定したり、描画する画素解析線及び基準補助線の線分の太さ、色、線種も設定しておけば同一条件の設定を共有することができる。
【００２９】
また、所定の角度の設定を同一のローカルネットワークに接続された操作端末に接続すれば同一条件の設定を共有することができる。
【００３０】
なお、以上の説明は、本発明の説明および例示を目的として特定の好適な実施例を示したに過ぎない。
従って本発明は、上記実施例に限定されることなく、その本質から逸脱しない範囲で更に多くの変更、変形を含むものである。
【図面の簡単な説明】
【００３１】
【図１】本発明の画像表示装置を用いて表示した画像の一例を示す図である。
【図２】本発明の画像表示装置を医療分野へ適用した画像の一例を示す図である。
【図３】本発明及び従来の画像表示装置の概略を示す構成図である。
【図４】従来の画像表示装置を用いて表示した画像の一例を示す図である。
【符号の説明】
【００３２】
１    記憶装置
１ａ  画像データ
２    表示装置
３    制御装置（ＰＣ）
４    画像解析線
５    グラフ（解析結果）
６    基準補助線
【図１】
2007313003.tif 000003
【図２】
2007313003.tif 000004
【図３】
2007313003.tif 000005
【図４】
2007313003.tif 000006